【事件の表示】
　特許第３２８９６９７号「パチンコ機」の請求項１、２に係る特許に対する特許異議の申立てについて、次のとおり決定する。
【結　論】
　
　特許第３２８９６９７号の請求項１ないし２に係る特許を取り消す。
【理　由】
　
一．手続の経緯
　
　本件特許第３２８９６９７号の請求項１乃至請求項２に係る発明についての出願は、平成３年３月２３日に出願した特願平３−８３２６７号の一部を新たな特許出願（特願平１０−２５０３７３号）とし、さらにその一部を新たな特許出願（特願平１１−３３５５２号）とし、さらにその一部を平成１１年３月１５日に新たな特許出願としたものであり、平成１４年３月２２日にその発明について特許権の設定登録がなされ、その後、その特許について、特許異議申立人鈴木暁子より特許異議の申立てがなされ、平成１５年３月１０日に取消しの理由が通知され、その指定期間内である同年５月２３日に意見書が提出されたものである。
　
　
二．特許異議の申立てについての判断
　
１．本件発明
　本件の請求項１乃至請求項２に係る発明（以下、「本件発明１」乃至「本件発明２」という。）は、特許明細書及び図面の記載からみて、その特許請求の範囲に記載された次のとおりのものである。
　
（本件発明１）
【請求項１】図柄を変動表示する図柄表示装置と、該図柄表示装置の表示結果が予め定められた条件を満たす場合に開放される電動入賞装置と、該電動入賞装置に受け入れられた入賞玉を特別装置作動領域を含む複数の通過領域のいずれかに誘導する特別入賞装置とを備え、該特別入賞装置に誘導された入賞玉が前記特別装置作動領域を通過したときに遊技者に有利な特別遊技状態を発生するパチンコ機において、前記図柄表示装置の表示結果が前記電動入賞装置の開放条件を満たした場合、前記電動入賞装置の開放状態が終了した後、所定のインターバルをおいてから前記図柄表示装置の次の変動表示を開始するように構成したパチンコ機。
　
（本件発明２）
【請求項２】前記特別遊技状態を付与すべく、前記特別入賞装置に誘導された入賞玉が前記特別装置作動領域を通過したときに作動開始すると共に再度特別装置作動領域を入賞玉が通過したとき又は始動入賞口に所定個数の打球が入賞したときに作動終了する特別装置と、該特別装置の作動中に前記始動入賞口に打球が入賞する毎に所定の態様で開放駆動される変動入賞装置とを備えた請求項１記載のパチンコ機。
　
２．引用例に記載された発明
　
　当審が通知した取消理由に引用した、本願の出願前である昭和６３年７月１２日に頒布された特開昭６３―１６８１９１号公報（以下、「第１引用例」という。）には、図面とともに、次の事項が記載されている。
　
（ａ）　「遊技盤前面の遊技領域内に設けられた特定の入賞口への打球の入賞に基づいて可動片が作動されて打球の飛込みが可能にされるとともに内部に一般入賞口と権利発生入賞口が設けられてなる補助遊技装置と、入賞口の開度が変換可能な変動入賞装置とを備えたパチンコ遊技機において、上記特定入賞口および可動片を遊技領域の片側にのみ設けるとともに、その反対側の遊技領域に、少なくとも上記補助遊技装置内の権利発生入賞口への入賞による権利発生時に出現される特別入賞口を設け、この特別入賞口への入賞により上記変動入賞装置を作動させるように構成したことを特徴とするパチンコ遊技機。」（特許請求の範囲第１項）
（ｂ）　「上記特定入賞口への入賞によって始動される可変表示装置を設け、この可変表示装置における表示が所定の態様に一致した場合に上記補助入賞装置の可動片を作動させるように構成したことを特徴とする特許請求の範囲第１項もしくは第２項記載のパチンコ遊技機。」（特許請求の範囲第３項）
（ｃ）　「権利発生中における再度の連動入賞口４５への入賞によって再び流路変換部材６５が元の状態（右側）へ回動されて入賞チャンスが少ない状態に変換されるため、遊技に対する緊張感が得られスリル性が向上される。」（第７頁左下欄第２０行−右下欄第４行）
（ｄ）　「特別入賞口６１への入賞によって変動入賞装置５を６秒間開かせるようにしているが、時間管理の代わりに入賞個数で管理し、入賞球が所定数（例えば６個）に達するまで変動入賞装置５を開かせるようにしてもよい。」（第８頁右下欄第１８行−第９頁左上欄第２行）
（ｅ）　「変換入賞装置６を省略してその位置（遊技盤の下部）に通常は閉塞状態にされているが、補助遊技装置４内の連動入賞４５への入賞によって開状態にされる特別入賞口６１を設けるようにしてもよい。」（第９頁左上欄第８−１２行）
　
　との記載が認められ、上記（ｂ）の記載中に「上記補助入賞装置」とあるのは請求項１に記載の「補助遊技装置」を指す誤記と認められるから、これらの記載によれば、第１引用例には、
　
「可変表示装置と、この可変表示装置における表示が所定の態様に一致した場合に作動されて補助遊技装置への打球の飛込みを可能にする可動片と、この可動片が作動されると打球の飛込みが可能になるとともに内部に一般入賞口と権利発生入賞口が設けられてなる補助遊技装置と、入賞口の開度が変換可能な変動入賞装置とを備えたパチンコ遊技機において、上記補助遊技装置内の権利発生入賞口への入賞による権利発生時に出現され且つ権利発生中における再度の権利発生入賞口への入賞によって元の状態に変換される特別入賞口を設け、この特別入賞口への入賞により上記変動入賞装置を作動させるように構成したパチンコ遊技機。」
　との発明（以下「引用発明」という。）が開示されていると認めることができる。
　
３．本件発明１についての検討
　
３−１．本件発明１と引用発明との対比
　
　本件発明１と引用発明とを比較すると、
　
（１）　引用発明の「可変表示装置」、「権利発生入賞口」、「パチンコ遊技機」は、本件発明１の「図柄を変動表示する図柄表示装置」、「特別装置作動領域」、「パチンコ遊技機」に、それぞれ相当する。
（２）　引用発明において、「可変表示装置における表示が所定の態様に一致した場合に作動されて補助遊技装置への打球の飛込みを可能にする可動片」を有し、さらに、「可動片が作動されると打球の飛込みが可能になるとともに内部に一般入賞口と権利発生入賞口」を有した補助遊技装置は、その機能からみて、本件発明１の「図柄表示装置の表示結果が予め定められた条件を満たす場合に開放される電動入賞装置と、該電動入賞装置に受け入れられた入賞玉を特別装置作動領域を含む複数の通過領域のいずれかに誘導する特別入賞装置」に相当する。
（３）　引用発明で「補助遊技装置内の権利発生入賞口への入賞による権利発生時に」特別入賞口が出現する点は、本件発明１の「特別入賞装置に誘導された入賞玉が前記特別装置作動領域を通過したときに遊技者に有利な特別遊技状態を発生する」点に相当する。
　
　してみると、本件発明１と引用発明とは、
「図柄を変動表示する図柄表示装置と、該図柄表示装置の表示結果が予め定められた条件を満たす場合に開放される電動入賞装置と、該電動入賞装置に受け入れられた入賞玉を特別装置作動領域を含む複数の通過領域のいずれかに誘導する特別入賞装置とを備え、該特別入賞装置に誘導された入賞玉が前記特別装置作動領域を通過したときに遊技者に有利な特別遊技状態を発生するパチンコ機」
　点で一致し、次の点において相違する。
　
（相違点１）
　本件発明１が、「図柄表示装置の表示結果が前記電動入賞装置の開放条件を満たした場合、前記電動入賞装置の開放状態が終了した後、所定のインターバルをおいてから前記図柄表示装置の次の変動表示を開始する」ように構成しているのに対して、引用発明ではこのように構成していない点。
　
３−２．判断
　
　始動口（本件実施例における「ゲート通過口」）を打球が通過することによって始動される図柄表示装置と、図柄表示装置の表示結果が予め定められた条件を満たす場合に開放される電動入賞装置とを備えたパチンコ機において、電動入賞装置の開放中に始動口への入球があった場合に当該入球を記憶しておき、電動入賞装置の開放状態が終了した後に当該記憶に基づく図柄表示装置の次の変動表示を開始することも、さらに、当該次の変動表示を所定のインターバルをおいてから開始することも、周知の技術である（特開昭６３−２６２１６９号公報、特開平２−２５２４７７号公報、特開昭６３−２４６１８５号公報、実願昭６２−３３４１９号（実開昭６３−１４０９７９号）のマイクロフィルム等参照）。
　すると、引用発明のパチンコ機もやはり、図柄表示装置及びその表示結果に基づいて開放される電動入賞装置を備えたパチンコ機であるから、このようなパチンコ機における上記の周知技術、すなわち、電動入賞装置の開放中の始動口への入球を記憶しておくことにより「図柄表示装置の表示結果が前記電動入賞装置の開放条件を満たした場合、前記電動入賞装置の開放状態が終了した後、所定のインターバルをおいてから前記図柄表示装置の次の変動表示を開始する」周知技術を引用発明に適用することは、当業者が容易に為し得たことである。
　
　そして、図柄表示装置の表示結果に基づいて開放される電動入賞装置を備えたパチンコ機における上記周知技術が、「電動入賞装置への狙い打ち中に、その集中力を削ぐような或いは遊技の混乱を招くような図柄表示装置の変動という状況を回避する」効果を奏することも、さらに、図柄表示装置の表示結果に基づいて開放される電動入賞装置を備えたパチンコ機であって「電動入賞装置に受け入れられた入賞玉を特別装置作動領域を含む複数の通過領域のいずれかに誘導する特別入賞装置とを備え、該特別入賞装置に誘導された入賞玉が前記特別装置作動領域を通過したときに遊技者に有利な特別遊技状態を発生するパチンコ機」に、当該周知技術を適用した場合に同じ効果を奏することも、当業者が予想できる範囲のことである。
　してみると、本件発明１の効果は、引用発明及び上記周知技術から当業者が予測できる範囲のものである。
　したがって、本件発明１は、引用発明に基づいて当業者が容易に発明をすることができたものである。
　
４．本件発明２についての検討
　
４−１．本件発明２と引用発明との対比
　
　本件発明２と引用発明とを比較すると、本件発明２で請求項１を引用して記載した構成要件については、上記「３−１．本件発明１と引用発明との対比」で検討したとおりである。そして、請求項２で付加された構成要件についてみると、
　
（４）　引用発明の「特別入賞口」、「変動入賞装置」は、本件発明２の「始動入賞口」、「変動入賞装置」に、それぞれ相当する。
（５）　引用発明は、権利発生入賞口への入賞により権利を発生させ、且つ、再度の権利発生入賞口への入賞によって当該権利を元の状態に変換するように機能しており、当該機能を奏する引用発明の構成は、本件発明２の「特別装置作動領域を通過したときに作動開始すると共に再度特別装置作動領域を入賞玉が通過したときに作動終了する特別装置」に相当するものである。すると、引用発明は、当該構成を要素とした択一的記載である「特別入賞装置に誘導された入賞玉が前記特別装置作動領域を通過したときに作動開始すると共に再度特別装置作動領域を入賞玉が通過したとき又は始動入賞口に所定個数の打球が入賞したときに作動終了する特別装置」という本件発明２の要件を備えたものである。
　
　してみると、本件発明２と引用発明とは、
「図柄を変動表示する図柄表示装置と、該図柄表示装置の表示結果が予め定められた条件を満たす場合に開放される電動入賞装置と、該電動入賞装置に受け入れられた入賞玉を特別装置作動領域を含む複数の通過領域のいずれかに誘導する特別入賞装置とを備え、該特別入賞装置に誘導された入賞玉が前記特別装置作動領域を通過したときに遊技者に有利な特別遊技状態を発生するパチンコ機において、前記特別遊技状態を付与すべく、前記特別入賞装置に誘導された入賞玉が前記特別装置作動領域を通過したときに作動開始すると共に再度特別装置作動領域を入賞玉が通過したとき又は始動入賞口に所定個数の打球が入賞したときに作動終了する特別装置と、該特別装置の作動中に前記始動入賞口に打球が入賞する毎に所定の態様で開放駆動される変動入賞装置とを備えた」
　点で一致し、上記「３−１．本件発明１と引用発明との対比」で指摘した「相違点１」と同じ点において相違する。
　
４−２．判断
　
　本件発明２と引用発明の相違点である「相違点１」については、上記「３−２．判断」で検討したとおりである。
　したがって、本件発明２は、引用発明に基づいて当業者が容易に発明をすることができたものである。
　
　さらに言えば、特別装置を作動終了させる条件として、本件発明２における択一的記載の一要素である「始動入賞口に所定個数の打球が入賞したとき」を採用することは周知の技術にすぎないから（特開昭６３−１２５２７６号公報、特開平１−２５６９８７号公報、特開昭６１−２１３０７６号公報参照）、特別装置の作動終了を、「再度特別装置作動領域を入賞玉が通過したとき」並びに「始動入賞口に所定個数の打球が入賞したとき」に行うことも、当業者であれば適宜に為し得た設計的事項にすぎない。
　
　
三．むすび
　
　以上のとおり、本件発明１乃至２は、特許法第２９条第２項の規定により特許を受けることができない。
　したがって、本件発明１乃至２についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年６月２７日（２００３．６．２７）